(57)【特許請求の範囲】
【請求項１】
マイクロ基地局が、無線周波数の再構成パラメータを取得するステップと、
指示メッセージに従って無線端末が自身の現在の無線周波数パラメータを調整することを可能にするために、前記マイクロ基地局が、サービスを受ける無線端末へ前記指示メッセージを送信するステップと、
前記指示メッセージを送信するステップの後に、前記マイクロ基地局が、前記無線周波数の再構成パラメータに基づき、無線周波数再構成を実行するステップとを備え、
前記指示メッセージは、前記マイクロ基地局の識別子と、再構成後に使用される無線周波数パラメータとを搬送するか、又は前記指示メッセージは、前記マイクロ基地局の周辺基地局の識別子と、前記周辺基地局によって使用される無線周波数パラメータとを搬送し、
前記無線周波数パラメータは、プリアンブルシーケンスおよびチャネルパラメータを有し、
前記無線端末は、前記マイクロ基地局が前記無線周波数再構成を行うのと同時に前記現在の無線周波数パラメータを調整する、マイクロ基地局再構成のための方法。
【請求項２】
前記無線周波数の再構成パラメータを取得するステップは、
前記マイクロ基地局が、管理機能エンティティによって能動的に前記マイクロ基地局へ送信される前記再構成パラメータを、受信するステップか、
又は、前記マイクロ基地局が、無線周波数競合検出時に、前記再構成パラメータを取得するように管理機能エンティティへのリクエストを作成するステップか、
又は、前記マイクロ基地局が無線周波数競合を検出したとき、前記マイクロ基地局が、前記マイクロ基地局の周辺無線環境に基づいて、前記再構成パラメータを決定するステップを備える請求項１に記載の方法。
【請求項３】
前記指示メッセージは、ハンドオーバーリクエスト、又はブロードキャストメッセージである請求項１又は２に記載の方法。
【請求項４】
前記無線周波数の再構成パラメータに基づいて無線周波数再構成を完了した後、前記無線端末が前記マイクロ基地局、又は前記マイクロ基地局の周辺基地局へハンドオーバーされるプロセスを完了するために、サービスを受ける前記無線端末と通信するステップをさらに含む請求項１から３のいずれか一項に記載の方法。
【請求項５】
無線周波数の再構成パラメータを取得すように構成された再構成パラメータ取得ユニットと、
指示メッセージに従って無線端末が自身の現在の無線周波数パラメータを調整することを可能にするために、前記指示メッセージを、サービスを受ける無線端末へ送信するように構成された指示メッセージ送信ユニットと、
前記指示メッセージ送信ユニットが前記指示メッセージを送信した後に、前記無線周波数の再構成パラメータに基づき、無線周波数再構成を実行するように構成された再構成ユニットとを備え、
前記指示メッセージは、マイクロ基地局の識別子と、再構成後に使用される無線周波数パラメータとを搬送するか、又は前記指示メッセージは、前記マイクロ基地局の周辺基地局の識別子と、前記周辺基地局によって使用される無線周波数パラメータとを搬送し、
前記無線周波数パラメータは、プリアングルシーケンスおよびチャネルパラメータを有し、
前記無線端末は、前記マイクロ基地局が前記無線周波数再構成を行うのと同時に前記現在の無線周波数パラメータを調整する、マイクロ基地局。
【請求項６】
前記無線周波数の再構成パラメータに基づいて無線周波数再構成を完了した後、前記無線端末が前記マイクロ基地局、又は前記マイクロ基地局の周辺基地局へハンドオーバーされるプロセスを完了するために、前記サービスを受ける無線端末と通信するように構成されたハンドオーバー通信ユニットをさらに備える請求項５に記載のマイクロ基地局。
【発明の詳細な説明】
【技術分野】
【０００１】
本出願は、発明の名称を“METHOD FOR RECONGITURING MICRO BASE STATION AND CORRESPONDING MICRO BASE STATION”として中国特許庁へ２００９年１２月２７日に出願された中国特許庁出願番号200910226264.8の優先権を主張する。前記出願を引用することにより、その全てが本明細書に組み込まれる。
【０００２】
本発明は、コミュニケーション技術の分野に関し、特に、マイクロ基地局の無線周波数競合の解消を目的としたマイクロ基地局再構成のための方法、及び対応するマイクロ基地局に関する。
【背景技術】
【０００３】
マクロセルラーネットワーク(macro cellular network)の補完として、ますます多くの事業者が、自分のマイクロ基地局の配置を開始している。マイクロ基地局の配置方法、及びサイト特徴に関して、通常マイクロ基地局は、一様にマイクロ基地局オペレータによって管理されている。環境内の無線信号の動的な変化のために、無線周波数の競合が、正常稼働しているマイクロ基地局において発生する可能性がある。この時、マイクロ基地局オペレータは、無線周波数競合を解消するために、マイクロ基地局の管理機能エンティティ(management functional entity)を介して、マイクロ基地局に対して無線周波数パラメータの再構成を遠隔的に行うことが可能である。
【発明の概要】
【発明が解決しようとする課題】
【０００４】
本発明の実施プロセスでは、本発明者は研究を行い、従来技術が少なくとも以下の問題点を有することを見出した。
【０００５】
現在、無線周波数再構成がマイクロ基地局上で行われる場合、通常採用される方法は、直接通話サービスを遮断する方法である。しかし、サービスを現在受ける無線端末におけるサービスの連続性について考慮がされていない。
【課題を解決するための手段】
【０００６】
本発明の実施形態は、無線周波数競合を解決するとともに、一方でサービスの連続性を確保するように、マイクロ基地局再構成のための方法と、対応するマイクロ基地局を提供する。
【０００７】
本発明の一実施形態は、無線周波数の再構成パラメータを取得するステップと、サービスを受ける無線端末へ指示メッセージを送信するステップと、前記無線周波数の再構成パラメータに基づき、無線周波数再構成を実行するステップとを備え、前記指示メッセージは、マイクロ基地局の識別子と、再構成後に使用される前記無線周波数パラメータとを搬送するか、又は前記指示メッセージは、前記マイクロ基地局の周辺基地局(neighboring base station)の識別子と、前記周辺基地局によって使用される無線周波数パラメータとを搬送するマイクロ基地局再構成のための方法を提供する。
【０００８】
本発明の一実施形態は、第一キャリア周波数を使用することによって無線周波数の再構成パラメータを取得するステップと、第二キャリア周波数において前記無線周波数の再構成パラメータを設定するとともに、第二キャリア周波数を使用可能にするステップと、前記第一キャリア周波数を使用することによってサービスを受ける無線端末へ指示メッセージを送信するステップとを備え、前記指示メッセージは、前記マイクロ基地局の識別子と、第二キャリア周波数に使用される無線周波数パラメータを搬送するマイクロ基地局再構成のための他の方法を提供する。
【０００９】
上述の二つの方法の実施形態に基づき、本発明の一実施形態は、無線周波数の再構成パラメータを取得すように構成された再構成パラメータ取得ユニットと、指示メッセージをサービスを受ける無線端末へ送信するように構成された指示メッセージ送信ユニットと、前記無線周波数の再構成パラメータに基づき、無線周波数再構成を実行するように構成された再構成ユニットとを備え、前記指示メッセージは、マイクロ基地局の識別子と、再構成後に使用される前記無線周波数パラメータとを搬送するか、又は前記指示メッセージは、前記マイクロ基地局の周辺基地局の識別子と、前記周辺基地局によって使用される無線周波数パラメータとを搬送するマイクロ基地局を提供する。
【００１０】
本発明の一実施形態は、第一キャリア周波数を使用することによって無線周波数の再構成パラメータを取得するように構成された再構成パラメータ取得ユニットと、第二キャリア周波数において前記無線周波数の再構成パラメータで設定を行うとともに、前記第二キャリア周波数を使用可能にするように構成された再構成ユニットと、前記第一キャリア周波数を使用することによってサービスを受ける無線端末へ指示メッセージを送信するように構成された指示メッセージ送信ユニットとを備え、前記指示メッセージは、前記マイクロ基地局の識別子と、前記第二キャリア周波数に使用される無線周波数パラメータとを搬送する他のマイクロ基地局を提供する。
【００１１】
本発明の上記各実施形態の技術的解決方法から、以下のことが理解できる。無線周波数の再構成パラメータを取得後、マイクロ基地局は、まず当該マイクロ基地局自身又は周辺基地局へのハンドオーバーを開始するように現在サービスを受けている無線端末を指示する指示メッセージを、現在サービスを受けている無線端末へ送るとともに、無線周波数再構成を無線周波数の再構成パラメータを基にして行うか、又は、マイクロ基地局は、まず第二キャリア周波数においてパラメータ再構成を設定し、第二キャリア周波数を使用可能にするとともに、当該マイクロ基地局自身の第二キャリア周波数へのハンドオーバーを開始するように現在サービスを受けている無線端末を指示する指示メッセージを、現在サービスを受けている無線端末へ、第一キャリア周波数を使用することによって送信する。上述のプロセスを通じてマイクロ基地局は、無線周波数を再構成し、無線周波数競合の問題を解決する。同時に、現在サービスを受けている無線端末上のサービスとしては、１つの基地局−基地局間ハンドオーバー遅延が存在するのみで、その結果、現在のサービスの連続性が確保される。
【００１２】
本発明の実施形態における技術的解決方法をより明確に説明するために、上記実施形態を説明するのに必要とされる添付の図が、以下で簡潔に紹介される。一見すると、以下で説明される添付の図は、本発明のいくつかの実施形態のみに見えるが、当業者であれば創作的努力を必要とせずに、これらの図から他の図を導くことが可能である。
【図面の簡単な説明】
【００１３】
【図１】本発明の一実施形態に基づくマイクロ基地局再構成のための方法のフローチャートである。
【図２】図１のマイクロ基地局の無線周波数競合を解決するプロセスでのメッセージインタラクションの図である。
【図３】本発明の一実施形態に基づくマイクロ基地局再構成のための他の方法のフローチャートである。
【図４】図３のマイクロ基地局の無線周波数競合を解決するプロセスでのメッセージインタラクションの図である。
【図５】本発明の一実施形態に基づくマイクロ基地局の機能ユニットの構成図である。
【図６】本発明の一実施形態に基づく他のマイクロ基地局の機能ユニットの構成図である。
【発明を実施するための形態】
【００１４】
本発明の目的、技術的解決方法、及び利点をより明瞭にするために、本発明の実施形態で提供される技術的解決方法が、添付の図、及び実施形態を参照して以下で詳細に説明される。
【００１５】
図１を参照すると本発明の一実施形態は、マイクロ基地局再構成のための方法を提供する。前記方法は、以下の内容を備える。
【００１６】
１１：無線周波数の再構成パラメータを取得する。
【００１７】
無線端末への接続サービスが提供される時、正常稼働状態のマイクロ基地局は、周辺無線環境(peripheral wireless environment)も同時に検出する。マイクロ基地局が、周辺無線信号と、前記マイクロ基地局の無線インターフェイスによって使用される無線周波数との間に競合が存在することを検出する場合、１つの方法では、前記マイクロ基地局の管理機能エンティティは、各マイクロ基地局によって使用される無線周波数を一様に割り当て、管理をする。この方法では、無線周波数競合が検出された後、マイクロ基地局は、管理機能エンティティへ無線周波数競合情報を報告するとともに、管理機能エンティティが無線周波数の再構成を行うことを要請する。これらに限定するものではないが、前記報告された無線周波数競合情報は、競合が起こった無線信号間の強度及び周波数と、競合が起こった信号間の期間とを有する。もし、無線周波数競合が周辺基地局によって引き起こされた場合、競合情報は、前記基地局の識別子、アップリンクチャネルの中心周波数、及びダウンリンクチャネルの中心周波数などの情報をさらに有する必要がある。報告された無線周波数競合情報に基づき、かつ無線周波数競合を報告したマイクロ基地局の周辺におけるアクセスポイントの状況を使用した無線周波数と、配置情報とに従って、前記マイクロ基地局の管理機能エンティティは、無線周波数競合を報告したマイクロ基地局への無線周波数の新たな再構成パラメータを決定するために、周辺無線環境の総合的な解析を行い、前記マイクロ基地局へ新たな再構成パラメータを送信する。
他の方法では、マイクロ基地局は、無線周波数の再構成パラメータを決定することを自ら選択する。この時点で無線周波数競合を検出後、マイクロ基地局は、もはやマイクロ基地局の管理機能エンティティから再構成パラメータを取得する必要はない。しかし、前記マイクロ基地局は、検出された無線周波数競合情報と、周辺マクロ基地局又は周辺マイクロ基地局によって使用されている無線周波数とに基づき周辺無線環境の解析を自身で行うとともに、当該マイクロ基地局自身が位置するエリアの無線周波数スペクトラムフラグメント(wireless frequency spectrum fragment)情報に基づき、無線周波数の再構成パラメータを決定する（無線周波数スペクトラムフラグメント情報は、事業者によりエリアへ割り当てられる）。周辺マクロ基地局、又は周辺マイクロ基地局によって使用されている無線周波数情報を取得するために、マイクロ基地局は、前記マイクロ基地局において無線周波数情報を事前設定する方法を採用することが可能であり（前記無線周波数情報は、変化が生じたときには同調して変更する必要がある）、前記無線周波数情報は、周辺マクロ基地局、又は周辺マイクロ基地局によって使用され、或いは、マイクロ基地局は、周辺マクロ基地局又は周辺マイクロ基地局をスキャニングすることで無線周波数情報を取得する、又はアクセスポイント(基地局)間で共有されている周辺基地局情報を介して無線周波数情報を取得する。
【００１８】
無線周波数の再構成パラメータは、以下に限定するものではないが、ＩＥＥＥ  ８０２．１６−２００９(Table 568, IEEE 802.16-2009)で定義される物理層での独立アップリンクチャネル(independent uplink channel)特性、直交周波数分割多元接続(Orthogonal Frequency Division Multiple Access, OFDMA)(Table 571, 575 IEEE 802.16-2009)のアップリンク及びダウンリンク、中心周波数、送信電力、アップリンク及びダウンリンクのプリアンブルシーケンスなどを有する。ここで無線周波数の再構成パラメータは、マイクロ基地局より得られる。
【００１９】
加えて、マイクロ基地局が周波数競合なしに正常稼働するシナリオでは、前記マイクロ基地局のオペレータは、異なるエリア内のマイクロ基地局によって使用される再計画周波数スペクトラム(replanning frequency spectrums)などのオペレーティング・ポリシーに基づき、新たな再構成パラメータをマイクロ基地局の管理機能エンティティを介してマイクロ基地局へ能動的に送ることもできる。マイクロ基地局が前記マイクロ基地局の管理機能エンティティによって能動的に送信された再構成パラメータを受信後、マイクロ基地局は、再構成プロセスを実施することも必要とする。
【００２０】
１２：サービスを受ける無線端末へ指示メッセージを送信する。ここで前記指示メッセージは、マイクロ基地局の識別子と、再構成後に使用される無線周波数パラメータとを搬送するか、又は前記指示メッセージは、マイクロ基地局の周辺基地局の識別子と、周辺基地局によって使用される無線周波数パラメータとを搬送する。
【００２１】
前記無線周波数の再構成パラメータ取得後、マイクロ基地局は、無線周波数再構成プロセスを実行する。しかし、(現在のマイクロ基地局を介して通信を行っている)マイクロ基地局に現在接続されている無線端末におけるサービスの連続性を維持するために、無線周波数の再構成を行う前に、マイクロ基地局は、あらかじめ現在サービスを受けている端末へハンドオーバーリクエストメッセージを送信することが可能である。前記ハンドオーバーリクエストメッセージは、マイクロ基地局の識別子と、再構成後、サービスを受ける無線端末と通信を実行する時に使用するための事前設定された無線周波数パラメータとを有する。前記無線周波数パラメータは、プリアンブルシーケンス、及びチャネルパラメータなどを備える。一方で、再構成後に無線端末がマイクロ基地局へハンドオーバーされるプロセスのスピードを上げるために、前記メッセージは、無線チャネルパラメータをさらに含み得る。前記無線チャネルパラメータは、マイクロ基地局によって事前設定されており、再構成後無線端末との通信実行時に使用されるもので、例えば、プリアンブルシーケンス情報、サブチャネル情報などの無線端末のハンドオーバーで必要とされる情報である。
【００２２】
ハンドオーバーメッセージの使用による無線端末への能動的なハンドオーバーとは別に、サービスを受ける無線端末への再構成前に、マイクロ基地局は、ブロードキャストメッセージ(例えば、周辺ブロードキャストメッセージ、又はダウンリンクチャネルディスクリプションメッセージなど)を送信することも可能である。前記ブロードキャストメッセージは、上述したハンドオーバーリクエストメッセージと同様の情報を搬送する。前記同様の情報とは、例えば、マイクロ基地局の識別子と、再構成後、サービスを受ける無線端末と通信を実行する時に使用するための事前設定された無線周波数パラメータとである。一方で、再構成後に無線端末がマイクロ基地局へハンドオーバーされるプロセスのスピードを上げるために、前記メッセージは、無線チャネルパラメータをさらに含み得る。前記無線チャネルパラメータは、マイクロ基地局によって事前設定されており、再構成後無線端末との通信実行時に使用されるもので、例えば、プリアンブルシーケンス情報、サブチャネル情報などの、無線端末のハンドオーバーで必要とされる情報である。ブロードキャストメッセージを受信後、無線端末は、マイクロ基地局へのハンドオーバーリクエストを能動的に開始するとともに、マイクロ基地局とのメッセージインタラクションを介してハンドオーバープロセスを完了することができる。
【００２３】
前述の記載は、再構成後、サービスを行うマイクロ基地局によって無線端末が、サービスを行うマイクロ基地局自身へのハンドオーバーを実行することを可能にするシナリオである。加えて、サービスを行うマイクロ基地局は、当該サービスを行うマイクロ基地局の周辺基地局の識別子と、プリアンブルシーケンス又はチャネル周波数などの周辺基地局に使用される無線周波数パラメータ等とを、サービスを受ける無線端末へ送信される指示メッセージ(ハンドーバーリクエストメッセージ又はブロードキャストメッセージ)内で搬送する。前記サービスを行うマイクロ基地局の周辺基地局は、マクロ基地局、又はマイクロ基地局を含む。前記マクロ基地局又はマイクロ基地局は、サービスを行うマイクロ基地局の周辺に位置する。特に無線パラメータを用いた再構成後のサービスを行うマイクロ基地局は、無線パラメータを用いた再構成以前のサービスを行う周辺基地局としても使用することが論理的に可能であり、それら、物理的に同一のマイクロ基地局である。しかし、再構成の前後で使用される無線パラメータのみが異なる。指示メッセージ受信後、無線端末は、周辺基地局の搬送された識別子と、使用される無線周波数パラメータの情報とに基づき、周辺基地局へのハンドオーバープロセスを開始することができる。同時に、現在サービスを受けている無線端末におけるサービスの連続性は、上記ハンドオーバープロセスによって保証される。
【００２４】
サービスを行うマイクロ基地局の周辺基地局の識別子と、ハンドオーバーリクエスト又はブロードキャストメッセージで使用される無線周波数パラメータとを搬送するために、ここで前記ハンドオーバーリクエストメッセージ又はブロードキャストメッセージは、サービスを受ける無線端末へ送信されるが、サービスを行う基地局は、ハンドオーバーリクエストメッセージ又はブロードキャストメッセージをサービスを受ける端末へ送信する前に、サービスを行う基地局の周辺基地局の識別子と、使用される無線周波数パラメータとを取得する必要があることに注意しなければならない。前記サービスを行うマイクロ基地局の周辺基地局は、マクロ基地局又はマイクロ基地局を含む。前記マクロ基地局又はマイクロ基地局は、サービスを行うマイクロ基地局の周辺に位置する。
【００２５】
サービスを行うマイクロ基地局は、その周辺基地局の識別子と、使用される無線周波数パラメータとを取得するために以下の方法を採用することができる。第一の方法では、マイクロ基地局の配置時に、その周辺基地局の識別子の情報と、周辺基地局に使用される無線周波数パラメータの情報とを、マイクロ基地局において事前設定することができる。サービスを行うマイクロ基地局が前記情報を必要とするとき、ローカルクエリ(local query)によって前記情報を取得することが可能である。第二の方法では、基地局の識別子の情報と、あるエリアの全ネットワークでの基地局により使用される無線周波数パラメータの情報とを、一様に基地局管理サーバー(又は情報管理サーバー)によって管理することができる。サービスを行うマイクロ基地局が前記情報を必要とするとき、サービスを行うマイクロ基地局は、問い合せるとともに前記情報の取得するために基地局管理サーバー（又は情報管理サーバー）へのリクエストを作成する。サービスを行うマイクロ基地局からのクエリリクエストを受信後、基地局管理サーバー（又は情報管理サーバー）は、サービスを行うマイクロ基地局の周辺基地局の識別子の情報と、周辺基地局によって使用される無線周波数パラメータの情報とを、メッセージに対応する問い合わせによって、サービスを行うマイクロ基地局へ送信する。
【００２６】
１３：無線周波数の再構成パラメータに基づいて無線周波数再構成を行う。
【００２７】
上述の指示メッセージ(ハンドオーバーリクエストメッセージ又はブロードキャスト)を受信後、無線端末は、前記指示メッセージに基づいて、無線端末稼働時に使用される無線周波数パラメータを調整する。一方で、マイクロ基地局自身は、無線周波数の再構成パラメータに基づき、無線周波数の再構成プロセスを実行する。
【００２８】
さらに、無線周波数の再構成パラメータに基づく無線周波数再構成が完了した後、マイクロ基地局は、さらに無線端末がマイクロ基地局又はマイクロ基地局の周辺の基地局へハンドオーバーされるプロセスを完了するために、サービスを受ける無線端末との通信をさらに行う。
【００２９】
無線周波数パラメータ調整がマイクロ基地局又はマイクロ基地局の周辺基地局へハンドオーバーされた後の無線端末のプロセスでは、端末が二つの基地局間でハンドオーバーされるメカニズムが参照され得る。前記メカニズムは、Ｗｏｒｌｄｗｉｄｅ  ｉｎｔｅｒｏｐｒａｂｉｌｉｔｙ  ｆｏｒ  ｍｉｃｒｏｗａｖｅ  ａｃｃｅｓｓ(Worldwide Interoperability for Microwave Access, WiMAX)の現行規格で定義されている。この場合、無線端末がマイクロ基地局へハンドオーバーされる時、ソース基地局及び無線端末のターゲット基地局は、物理的に同一のマイクロ基地局であることに注意が必要である。しかし、無線周波数、及びいくつかのチャネルパラメータは、ハンドオーバー前後で変化する。前記無線周波数、及びいくつかのチャネルパラメータは、マイクロ基地局によって使用される。
【００３０】
図２を参照すると図２は、本実施形態でのマイクロ基地局の無線周波数競合を解決するプロセスでのメッセージインタラクションの図である。前記メッセージインタラクションは、以下のステップを備える。
【００３１】
２１：マイクロ基地局は、無線周波数競合を検出する。
【００３２】
２２：マイクロ基地局は、無線周波数の再構成パラメータを入手する。
【００３３】
２３：マイクロ基地局は、指示メッセージを、現在サービスを受けている無線端末へ送信する。前記指示メッセージは、マイクロ基地局の識別子と、再構成後に使用される無線周波数パラメータを有する。
【００３４】
前記指示メッセージは、ハンドオーバーリクエストメッセージ又はブロードキャストメッセージであってもよく、前記無線周波数パラメータは、プリアンブルシーケンスと、チャネルパラメータとを有する。
【００３５】
２４Ａ：無線端末は、指示メッセージに基づいて無線端末稼働時に使用される無線周波数パラメータを調整する。
【００３６】
２４Ｂ：ステップ２４Ａと同時に、マイクロ基地局は、再構成パラメータに基づいて無線周波数再構成を実行する。
【００３７】
２５：マイクロ基地局は、無線端末をマイクロ基地局へハンドオーバーするプロセスを完了するために、無線端末と通信する。
【００３８】
本実施形態で提供されるマイクロ基地局再構成方法を採用することによって、無線周波数の再構成パラメータ取得後、まずマイクロ基地局は、当該マイクロ基地局自身又は前記マイクロ基地局の周辺基地局へのハンドオーバーを開始するように現在サービスを受けている無線端末に指示するために、前記現在サービスを受けている無線端末へ指示メッセージを送信する。その後マイクロ基地局は、無線端末のコンテキスト情報を保持し、かつ無線周波数再構成を実行する。上記プロセスを介して、マイクロ基地局は無線周波数再構成を完了して、無線周波数競合の問題が解決される。同時に、現在サービスを受けている無線端末上のサービスとしては、１つの基地局−基地局間ハンドオーバー遅延が存在するのみで、その結果、現在のサービスの連続性が確保される。
【００３９】
図３を参照すると、本発明の一実施形態は、マイクロ基地局再構成のための他の方法を提供する。上記方法は、以下の内容を備える。
【００４０】
３１：第一キャリア周波数を使用することによって、無線周波数の再構成パラメータを取得する。
【００４１】
本実施形態でのマイクロ基地局は、デュアルキャリア周波数機能(dual-carrier-frequency function)を提供することが可能である。マイクロ基地局は、同時又は異なる時間を交互で、異なる２つの周波数を稼働することができる。マイクロ基地局は、正常稼働時ではシングルキャリア周波数モードを使用し、例えば、無線端末への通信サービスを提供するために第一キャリア周波数を使用する。マイクロ基地局が第一キャリア周波数を使用することによって無線周波数の再構成パラメータを取得する時、無線周波数再構成のプロセスは実行される。さらに本実施形態でのマイクロ基地局は、以下のいずれか一つの方法を介して、再構成パラメータを取得することが可能である。
【００４２】
第一の方法では、無線周波数競合検出時に、マイクロ基地局は、第一キャリア周波数を使用することによって無線周波数再構成のリクエストをマイクロ基地局の管理機能エンティティへ送信する。前記無線周波数再構成のリクエストは、検出された無線周波数競合の情報を搬送する。マイクロ基地局の第一キャリア周波数は、無線周波数競合の情報に基づき、マイクロ基地局の管理機能エンティティにより、無線周波数の再構成パラメータを受信する。ここで、無線周波数の再構成パラメータは送信される。
【００４３】
第二の方法では、無線周波数競合検出時にマイクロ基地局は、周辺無線環境の解析を、検出された無線周波数競合の情報と、周辺マクロ基地局又は周辺マイクロ基地局によって使用される無線周波数の情報とに基づき、第一キャリア周波数を使用することによって行うとともに、前記マイクロ基地局は、マイクロ基地局自身が位置するエリアの無線周波数スペクトラムフラグメントの情報に基づき、無線周波数の再構成パラメータを決定する。
【００４４】
第三の方法では、正常稼働するマイクロ基地局は、前記マイクロ基地局の管理機能エンティティによって能動的にマイクロ基地局へ送信された再構成パラメータを受信する。
【００４５】
３２：第二キャリア周波数において無線周波数の再構成パラメータを設定するとともに、第二周波数を使用可能にする。
【００４６】
無線周波数の新しい再構成パラメータを取得後、マイクロ基地局は、第二キャリア周波数において無線周波数の再構成パラメータを設定するとともに、第二周波数を使用可能にする。この過程において、マイクロ基地局の第一、第二キャリア周波数は、同時、又は異なる時間を交互に稼働する状態にある。
【００４７】
３３：第一キャリア周波数を使用することによって、指示メッセージを、サービスを受ける無線端末へ送信する。前記指示メッセージは、マイクロ基地局の識別子と、第二キャリア周波数によって使用される無線周波数パラメータとを搬送する。
【００４８】
現在サービスを受けている無線端末におけるサービス連続性を維持するために、無線周波数再構成後、マイクロ基地局は、時間内に指示メッセージを、現在サービスを受けている無線端末へ送信する必要がある。前記指示メッセージは、ハンドオーバーリクエストメッセージ又はブロードキャストメッセージであってもよい(例えば、周辺ブロードキャストメッセージ又はダウンリンクチャネルディスクリプションメッセージなど)。前記指示メッセージは、マイクロ基地局自身へのハンドオーバーを開始するように現在サービスを受けている無線端末に指示するために、マイクロ基地局の識別子と、第二キャリア周波数によって使用される無線周波数パラメータとを搬送する。前記無線周波数パラメータは、プリアンブルシーケンス、及びチャネルパラメータなどを有する。一方で、再構成後に無線端末がマイクロ基地局へハンドオーバーされるプロセスのスピードを上げるために、前記メッセージは、無線チャネルパラメータをさらに含み得る。前記無線チャネルパラメータは、マイクロ基地局によって事前設定されており、再構成後無線端末との通信実行時に使用されるもので、例えば、プリアンブルシーケンス情報、サブチャネル情報などの、無線端末のハンドオーバーで必要とされる情報である。
【００４９】
ハンドオーバー前では、マイクロ基地局は、上記指示メッセージを、第一キャリア周波数を介して現在サービスを受けている無線端末へ引き続き送信する必要があることに注意が必要である。第一キャリア周波数を使用することによって、現在サービスを受けている無線端末へ指示メッセージを送信した後、マイクロ基地局は、無線端末がマイクロ基地局の第二キャリア周波数へハンドオーバーされるプロセスを完了するために、サービスを受ける無線端末と通信をする。
【００５０】
上記指示メッセージ受信後、無線端末は、指示メッセージに基づいて前記無線端末稼働時に使用される無線周波数パラメータを調整するとともに、前記無線端末は、無線端末がマイクロ基地局の第二キャリア周波数へハンドオーバーされるプロセスを実行する。ハンドオーバープロセスの詳細では、端末が２つの基地局間でハンドオーバーされるメカニズムが参照される。前記メカニズムは、ＷｉＭＡＸの現行規格内で定義されるが、詳細はここで再度説明しない。
【００５１】
ハンドオーバー完了後、マイクロ基地局は、第二キャリア周波数で稼働し、第一キャリア周波数を閉じる。
【００５２】
図４を参照すると図４は、本実施形態でのマイクロ基地局の周波数競合を解決するプロセスでのメッセージインタラクションの図である。上記メッセージインタラクションは、以下のステップを備える。
【００５３】
４１：第一キャリア周波数を使用するマイクロ基地局は、無線周波数競合を検出する。
【００５４】
４２：前記マイクロ基地局は、第一キャリア周波数を使用することによって、無線周波数の再構成パラメータを取得する。
【００５５】
４３：前記マイクロ基地局は、第二キャリア周波数において無線周波数の取得された再構成パラメータを設定するとともに、第二キャリア周波数を使用可能にする。
【００５６】
４４：前記マイクロ基地局は、第一キャリア周波数を使用することによって、指示メッセージを、サービスを受ける無線端末へ送信する。前記指示メッセージは、マイクロ基地局の識別子と、第二キャリア周波数によって使用される無線周波数パラメータとを搬送する。
【００５７】
前記指示メッセージは、ハンドオーバーリクエストメッセージ又はブロードキャストメッセージであってもよい。前記無線周波数パラメータは、プリアンブルシーケンスと、チャネルパラメータとを有する。
【００５８】
４５：前記無線端末は、指示メッセージに基づき、無線端末稼働時に使用される無線周波数パラメータを調整する。
【００５９】
４６：前記マイクロ基地局は、無線端末をマイクロ基地局の第二キャリア周波数へハンドオーバーする過程を完了するために、無線端末と通信をする。
【００６０】
本実施形態で提供されるマイクロ基地局再構成方法を採用することによって、デュアルキャリア周波数機能を有するマイクロ基地局は、まず、第二キャリア周波数において無線周波数の再構成パラメータを設定するとともに、第二キャリア周波数を使用可能にする。ここで、前記無線周波数の構成パラメータは、第一キャリア周波数を使用することによって取得される。その後、デュアルキャリア周波数機能を有するマイクロ基地局は、マイクロ基地局自体の第二キャリア周波数へハンドオーバーを開始するように現在サービスを受けている無線端末に指示するために、第一キャリア周波数を使用することによって、指示メッセージを、サービスを受ける端末へ送信する。上記のプロセスを介して、マイクロ基地局は、無線周波数パラメータの再構成を完了して、無線周波数競合の問題を解決する。同時に、現在サービスを受けている無線端末上のサービスとしては、１つの基地局−基地局間ハンドオーバー遅延が存在するのみで、その結果、現在のサービスの連続性が確保される。
【００６１】
本発明の上記２つのマイクロ基地局再構成のための方法の実施形態に基づき、図５及び図６を参照すると、本発明は、それらに応じた２種類のマイクロ基地局の実施形態を提供する。
【００６２】
図５は、第一のマイクロ基地局再構成のための方法の実施形態に対応するマイクロ基地局の機能ユニットの構成図である。図５を参照すると、本発明の一実施形態は、マイクロ基地局を提供する。前記マイクロ基地局は、以下を備える。
無線周波数の再構成パラメータを取得するように構成される再構成パラメータ取得ユニット５１。
指示メッセージを、サービスを受ける無線端末へ送信するように構成される指示メッセージ送信ユニット５２。前記指示メッセージは、マイクロ基地局の識別子と、再構成後に使用される無線周波数パラメータとを搬送する。または前記指示メッセージは、マイクロ基地局の周辺基地局の識別子と、前記周辺基地局によって使用される無線周波数パラメータとを搬送する。
無線周波数の再構成パラメータに基づき、無線周波数再構成を実行するよう構成された再構成ユニット５３。
【００６３】
オプションとして、再構成ユニット５３が無線周波数の再構成パラメータに基づき無線周波数再構成を完了した後の処理をするユニットとして、マイクロ基地局は以下を備えることもできる。
無線端末をマイクロ基地局、又はマイクロ基地局の周辺基地局へハンドオーバーするプロセスを完了するために、サービスを受ける無線端末と通信するように構成されたハンドオーバー通信ユニット５４。
【００６４】
図６は、第二のマイクロ基地局再構成のための方法の実施形態に対応するマイクロ基地局の機能ユニットの構成図である。図６を参照すると、本発明の一実施形態は、他のマイクロ基地局を提供する。前記基地局は、以下を備える。
第一キャリア周波数を使用することによって無線周波数の再構成パラメータを取得するよう構成された再構成パラメータ取得ユニット６１。
第二キャリア周波数において無線周波数の再構成パラメータで設定を行うとともに、第二キャリア周波数を使用可能にするように構成された再構成ユニット６２。
前記第一キャリア周波数を使用することによってサービスを受ける無線端末へ指示メッセージを送信するように構成された指示メッセージ送信ユニット６３。前記指示メッセージは、マイクロ基地局の識別子と、第二キャリア周波数によって使用される無線周波数パラメータとを搬送する。
【００６５】
オプションとして、指示メッセージ送信ユニット６３が第一キャリア周波数を使用することによって、サービスを受ける無線端末へ指示メッセージを送信した後の処理をするユニットとして、マイクロ基地局は以下を備えることができる。
無線端末をマイクロ基地局の第二キャリア周波数へハンドオーバーするプロセスを完了するために、サービスを受ける無線端末と通信するように構成されたハンドオーバー通信ユニット６４。
【００６６】
本発明の第二のマイクロ基地局の実施形態は、デュアルキャリア周波数機能を有するマイクロ基地局であり、正常稼働時では、シングルキャリア周波数モードを使用することによって接続された無線端末へ通信サービスを提供することに注意しなければならない。
【００６７】
最後に当業者は、上記の実施形態での方法のプロセスの全て、又は一部が適切なハードウェアに命令をするコンピュータプログラムによって成し遂げられ得ることを理解可能なことに注意すべきである。前記プログラムは、コンピュータ読取可能記録媒体によって記録され得る。前記プログラム実行時では、前記実施形態での各方法のプロセスが含まれる。前記記録媒体は、磁気ディスク、光学ディスク、リードオンリメモリ(Read-Only Memory, ROM)、又はランダムアクセスメモリ(Random Access Memory, RAM)などであってもよい。
【００６８】
本発明の実施形態での各機能ユニットは、一つの処理モジュールに組み込まれることもあれば、物理的に別々のユニットとして存在することもある。また２つ又はそれ以上のユニットが、一つのモジュール内に組み込むことも可能である。前記組込モジュールは、ハードウェアの形で実施することが可能あり、さらにソフトウェア機能モジュールの形でも実施可能である。前記組込モジュールが、ソフトウェア機能モジュールの形で実施され、かつ独立した製品として販売、使用される場合、前記組込モジュールは、コンピュータ読取可能記憶媒体内に記憶され得る。前記記録媒体は、リードオンリメモリ、磁気ディスク、又は光学ディスクなどであってもよい。
【００６９】
上述の特定の実施形態は、本発明を限定することを意図しない。当業者にとって本発明の原理から逸脱しない範囲においてなされるどんな変更、均等な置換、及び改良は、本発明の保護範囲に含まれる。
【符号の説明】
【００７０】
５１  再構成パラメータ取得ユニット
５２  指示メッセージ送信ユニット
５３  再構成ユニット
５４  ハンドオーバー通信ユニット
６１  再構成パラメータ取得ユニット
６２  再構成ユニット
６３  指示メッセージ送信ユニット
６４  ハンドオーバー通信ユニット
【図１】
0005624154.tif 000002
【図２】
0005624154.tif 000003
【図３】
0005624154.tif 000004
【図４】
0005624154.tif 000005
【図５】
0005624154.tif 000006
【図６】
0005624154.tif 000007